(57)【特許請求の範囲】
【請求項１】
マンホール槽内高所作業に使用する組立式足場は、作業用足場床、足場支持フレームと作業用足場枠右用左用で構成され、前記作業用足場床は、足場板中間保持金具と足場板可動保持金具を有し、前記足場支持フレームは、足場引掛用フックとフック外れ防止引き止め金具を3個以上有し、前記作業用足場枠右用左用は、各々にてすり、中さんと幅木を有し、作業手順は、まず、前記足場支持フレーム足場引掛用フックをマンホールのタラップに引掛け、前記フック外れ防止引き止め金具をセットし、前記作業用足場枠右用左用を前記作業用足場床にセットして組立し、所定の長さの足場板の長手方向の一端部側を前記足場板可動保持金具に差込み、長手方向の他端部側をマンホールの壁面に密着後、前記足場板を前記足場板中間保持金具で固定する事を特徴とする
マンホール槽内高所作業用組立式足場
【発明の詳細な説明】
【技術分野】
【０００１】
マンホールの槽内作業に於いて、足場が悪く、狭い為に梯子や脚立が使えず
苦労いたします。槽内に有るタラップを利用した足場を考えてみました。
【背景技術】
【０００２】
作業用足場については、墜落事故につながる為に労働安全衛生規則に厳しく定められています。この規則は、事業者が、守りなさいとも定められています。
【０００３】
高さ15センチメートル以上の幅木、高さ85センチメートル以上の手すりや中さんを付けることや、二以上の支持物に取り付けることや、足場板は、三以上の支持物にかけ渡すこと等が述べられています。
【０００４】
特許第2750564号は、マンホール用のハンガー式作業足場板が述べられています。
【０００５】
特開2007-327221号は、作業用足場が述べられています。
【先行技術文献】
【特許文献】
【０００６】
【特許文献１】特許第2750564号
【特許文献２】特開2007-327221号
【発明の概要】
【発明が解決しようとする課題】
【０００７】
先日マンホール槽内作業用の足場の説明会が有り、参加しました。特許取得製品とゆうことで、期待をしていましたが、結果、駄目でした。
【０００８】
タラップに1点吊りで作業床だけの物でした。法律では、事業者は、労働安全衛生規則に順守している物を作業用工具として与えなさいと指示しています。
労働安全衛生規則に順守している工具や足場がないと非常に困ります。
【０００９】
マンホール槽内作業が安全にできて、労働安全衛生規則に順守している作業用足場を開発する事が課題です。
【課題を解決するための手段】
【００１０】
マンホール槽内で使用出来る足場の条件は、コンパクトである事、軽い事、堅固な事と労働安全衛生規則に順守している事が挙げられます。            
【００１１】
軽いことと堅固なことは、相反します。堅固にすればするほど重くなります。
その為に、組立式を採用し、現場に設置しながら効率良く組み立てて、完成品にします。
【００１２】
マンホール槽内高所作業に使用する組立式足場は、作業用足場床、足場支持フレームと作業用足場枠右用左用で構成され、前記作業用足場床は、足場板中間保持金具と足場板可動保持金具を有し、前記足場支持フレームは、足場引掛用フックとフック外れ防止引き止め金具を3個以上有し、前記作業用足場枠右用左用は、各々にてすり、中さんと幅木を有します。
【００１３】
作業手順は、まず、前記足場支持フレーム足場引掛用フックをマンホールのタラップに引掛け、前記フック外れ防止引き止め金具をセットし、前記作業用足場枠右用左用を前記作業用足場床にセットして効率良く組立し、所定の長さの足場板を片面は、前記足場板可動保持金具に差込み、前記足場板の端点をマンホールの壁面に密着後、前記足場板を前記足場板中間保持金具で固定する事を特徴とします。
【発明の効果】
【００１４】
従来の足場板だけの作業に比較して、安全で広い足場床、手すり、中さんや幅木があることで安心して作業ができるので、疲労も少ないし、作業効率が非常によくなる。
【図面の簡単な説明】
【００１５】
【図１】現在のマンホール槽内作業と足場板イメージ図
【図２】現在のマンホール槽内作業の特許取得足場イメージ図
【図３】作業用足場床と足場支持フレーム取付イメージ図
【図４】作業用足場床、足場支持フレームと足場枠イメージ図
【図５】足場枠と足場板取付イメージ図
【図６】足場枠立面図と平面図イメージ図
【図７】足場枠を使用して作業中イメージ図
【図８】足場枠と足場板を取付して、作業中イメージ図
【符号の説明】
【００１６】
１            マンホール
２            タラップ
３            作業員
４            安全帯
５            足場板
６            作業用足場
７            作業用足場床        
８            足場支持フレーム
９            足場板中間保持金具
１０          足場板可動保持金具
１１          足場引掛用フック
１２          フックはずれ防止引留金具
１３          手すり
１４          中さん
１５          幅木
１６          作業用足場枠左用
１７          作業用足場枠右用
１８          足場板
【発明を実施するための形態】
【００１７】
以下、本発明の実施の形態を図に基づいて説明する。
図１は、現在の足場板を使っての作業状況です。マンホール１の内径よりいくらか長い足場板５を準備し、先ずタラップ２に片側を載せます。次に反対側をマンホール１の壁にあてて、荷重をかけます。反対側が壁に食い込んだようになって安定します。そこで作業者３が、足場の上に乗って作業します。利点としては、非常に簡単に足場ができる事で、非常に普及しています。足場から足を踏み外す、足場がひっくり返って転落する、足場が折れて落下する等、非常に大きな危険が潜んでいます。
【００１８】
図２は、通常の作業用足場６をタラップ２にセットして、作業者３が、乗って作業をしています。既存の特許文献もこのイメージでした。作業者３を安全に守っているのは、安全帯４だけです。タラップへの引っかかりも1箇所だけなのが、気になります。もし、タラップが外れたら、作業者共々落下します。
手すりが無い事なども大変気になります。
【００１９】
図３は、マンホール槽内高所作業に使用する組立式足場です。作業用足場床７、足場支持フレーム８と作業用足場枠左用１６右用１７で構成され、作業用足場床７は、足場板中間保持金具９と足場板可動保持金具１０を有し、足場支持フレーム８は、足場引掛用フック１１とフック外れ防止引き止め金具１２を3個以上有し、作業用足場枠左用１６右用１７は、各々にてすり１３、中さん１４と幅木１５を有します。
【００２０】
図４は、前記足場支持フレーム８の足場引掛用フック１１をマンホール１のタラップ２に引掛け、前記フック外れ防止引き止め金具１２をセットし、前記作業用足場枠左用１６右用１７を前記作業用足場床７にセットして効率良く組立します。
【００２１】
図５は、所定の長さの足場板１８を片面は、前記足場板可動保持金具１０に差込み、前記足場板１８の端点をマンホールの壁面に密着後、前記足場板１８を前記足場板中間保持金具９で固定します。
【００２２】
図６は、作業用足場床７の平面図に作業用足場枠左用１６右用１７と足場板１８をセットした平面図です。
【００２３】
図７、８は、作業中のイメージ図です。
【要約】 
【課題】
マンホール槽内作業が安全にできて、労働安全衛生規則に順守している作業用足場を開発する事が課題です。
【解決手段】  
作業手順は、まず、前記足場支持フレーム足場引掛用フックをマンホールのタラップに引掛け、前記フック外れ防止引き止め金具をセットし、前記作業用足場枠右用左用を前記作業用足場床にセットして組立し、所定の長さの足場板を片面は、前記足場板可動保持金具に差込み、前記足場板の端点をマンホールの壁面に密着後、前記足場板を前記足場板中間保持金具で固定する事を特徴とします。
【選択図】  図５【図１】
0005640229.tif 000002
【図２】
0005640229.tif 000003
【図３】
0005640229.tif 000004
【図４】
0005640229.tif 000005
【図５】
0005640229.tif 000006
【図６】
0005640229.tif 000007
【図７】
0005640229.tif 000008
【図８】
0005640229.tif 000009